(57)【要約】【課題】本願は、より読み取りに適した状態で原稿を載置可能な原稿読み取り装置を開示する。【解決手段】原稿読み取り装置であって、読取対象の原稿を載置する原稿載置面の少なくとも一部が柱状部材の上面によって形成される原稿台と、原稿載置面に原稿の位置を案内するガイドが形成されるように、柱状部材を上または下の方向に移動させる移動手段と、を備える。このような原稿読み取り装置であれば、柱状部材が形成するガイドによって原稿の位置が案内されるので、読み取りに適した状態で原稿を容易に載置可能である。【選択図】図４
2017112482.tif 000002
【特許請求の範囲】
【請求項１】
読取対象の原稿を載置する原稿載置面の少なくとも一部が柱状部材の上面によって形成される原稿台と、
前記原稿載置面に前記原稿の位置を案内するガイドが形成されるように、前記柱状部材を上または下の方向に移動させる移動手段と、を備える、
原稿読み取り装置。
【請求項２】
前記移動手段は、少なくとも２つの前記柱状部材を上方向に移動させて前記ガイドを形成する、
請求項１に記載の原稿読み取り装置。
【請求項３】
前記移動手段は、前記原稿を載置すべき領域に位置する少なくとも一部の前記柱状部材を下方向に移動させて前記ガイドを形成する、
請求項１に記載の原稿読み取り装置。
【請求項４】
前記柱状部材の上端側から光を出射する光源をさらに備える、
請求項１から３のいずれか一項に記載の原稿読み取り装置。
【請求項５】
前記光源は、前記原稿を載置すべき領域の縁に位置する前記柱状部材の上端側から光を出射する、
請求項４に記載の原稿読み取り装置。
【請求項６】
前記光源は、前記原稿を載置すべき領域全体に位置する前記柱状部材の上端側から光を出射する、
請求項４に記載の原稿読み取り装置。
【請求項７】
空気の吸引および吹き出しの少なくとも一方を、前記原稿載置面を介して行う通気手段をさらに備える、
請求項１から６のいずれか一項に記載の原稿読み取り装置。
【請求項８】
前記通気手段は、
筒状若しくは上部または下部に空気孔を有する部材として形成された前記柱状部材の上端側の開口を介して空気の吸引および吹き出しの少なくとも一方を行う、
請求項７に記載の原稿読み取り装置。
【請求項９】
前記通気手段が吸引する空気の流量および圧力のうち少なくとも一方に基づいて、前記原稿が正常に載置されたか否かを判定する判定手段をさらに備える、
請求項７または８に記載の原稿読み取り装置。
【請求項１０】
前記通気手段は、前記原稿の読み取りが完了すると、少なくとも前記原稿がある位置から空気を吹き出す、
請求項７から９のいずれか一項に記載の原稿読み取り装置。
【請求項１１】
前記移動手段は、前記原稿の読み取りが完了すると、前記原稿がある位置の前記柱状部材の高さが他の柱状部材と異なる高さとなるように少なくとも一部の柱状部材を移動させる、
請求項１から１０のいずれか一項に記載の原稿読み取り装置。
【発明の詳細な説明】
【技術分野】
【０００１】
本願は、原稿読み取り装置に関する。
【背景技術】
【０００２】
スキャナ等の原稿読み取り装置では、読み取り対象となる原稿が原稿台に載置される。原稿読取装置は、原稿台に載置された原稿を読み込んで電子データとして出力する（特許文献１から４を参照）。
【先行技術文献】
【特許文献】
【０００３】
【特許文献１】特開２００９−２０６９０１号公報
【特許文献２】特開２００７−１７８７２号公報
【特許文献３】特開２００４−１０１７８１号公報
【特許文献４】特開２０１４−１４４２０４号公報
【発明の概要】
【発明が解決しようとする課題】
【０００４】
原稿台に載置される原稿に折れや皺があると、当該折れや皺が原稿を読み取ったイメージデータに含まれる虞がある。また、原稿が原稿台に斜めに載置されると、原稿を読み取ったイメージデータも斜めになる虞がある。これらのような場合、原稿を読み取ったイメージデータを用いた業務に支障が生ずる虞がある。
【０００５】
そこで、本願は、より読み取りに適した状態で原稿を載置可能な原稿読み取り装置を開示する。
【課題を解決するための手段】
【０００６】
上記課題を解決するため、本発明では、原稿載置面で柱状部材を上または下に動かし、原稿載置面に原稿の位置を案内するガイドが形成されるようにした。
【０００７】
詳細には、本発明は、原稿読み取り装置であって、読取対象の原稿を載置する原稿載置面の少なくとも一部が柱状部材の上面によって形成される原稿台と、原稿載置面に原稿の位置を案内するガイドが形成されるように、柱状部材を上または下の方向に移動させる移動手段と、を備える。このような原稿読み取り装置であれば、柱状部材が形成するガイドによって原稿の位置が案内されるので、読み取りに適した状態で原稿を容易に載置可能である。
【０００８】
なお、移動手段は、少なくとも２つの柱状部材を上方向に移動させてガイドを形成するものであってもよい。このような移動手段を備える原稿読み取り装置であれば、ユーザは、原稿載置面から突出するように形成されるガイドで原稿の載置位置を容易に把握することができる。
【０００９】
また、移動手段は、原稿を載置すべき領域に位置する少なくとも一部の柱状部材を下方向に移動させてガイドを形成するものであってもよい。このような移動手段を備える原稿読み取り装置であれば、ユーザは、原稿載置面に窪みを形成するガイドで原稿の載置位置を容易に把握することができる。
【００１０】
また、上記の原稿読み取り装置は、柱状部材の上端側から光を出射する光源をさらに備
えるものであってもよい。当該光源は、原稿を載置すべき領域の縁に位置する柱状部材の上端側から光を出射するものであってもよいし、或いは、原稿を載置すべき領域全体に位置する柱状部材の上端側から光を出射するものであってもよい。上記の原稿読み取り装置がこのような光源を備えていれば、ユーザは、柱状部材が形成するガイドの他に、光源から放たれる光を見て原稿の位置を把握することができる。
【００１１】
また、上記の原稿読み取り装置は、空気の吸引および吹き出しの少なくとも一方を、原稿載置面を介して行う通気手段をさらに備えるものであってもよい。この場合、通気手段は、例えば、筒状若しくは上部または下部に空気孔を有する部材として形成された柱状部材の上端側の開口を介して空気の吸引および吹き出しの少なくとも一方を行うものであってもよい。このような通気手段を更に備える原稿読み取り装置であれば、原稿を原稿載置面に吸着させたり浮き上がらせたりすることが可能である。
【００１２】
また、上記の原稿読み取り装置は、通気手段が吸引する空気の流量および圧力のうち少なくとも一方に基づいて、原稿が正常に載置されたか否かを判定する判定手段をさらに備えるものであってもよい。このような判定手段を更に備える原稿読み取り装置であれば、原稿が適切な位置に置かれていないことを検知した場合に原稿の位置の調整を促すことが可能となる。
【００１３】
また、通気手段は、原稿の読み取りが完了すると、少なくとも原稿がある位置から空気を吹き出すものであってもよい。原稿の読み取りが完了した場合に原稿が空気で浮き上がれば、ユーザは原稿を容易に取り除くことができる。
【００１４】
また、移動手段は、原稿の読み取りが完了すると、原稿がある位置の柱状部材の高さが他の柱状部材と異なる高さとなるように少なくとも一部の柱状部材を移動させるものであってもよい。原稿の読み取りが完了した後、原稿がある部分の柱状部材の高さが周囲の柱状部材と異なる高さになれば、ユーザは原稿の縁を掴みやすいため、原稿を容易に掴んで原稿載置面から取り除くことができる。
【発明の効果】
【００１５】
上記原稿読み取り装置であれば、より読み取りに適した状態で原稿を載置可能である。
【図面の簡単な説明】
【００１６】
【図１】図１は、原稿読み取り装置の外観を示した図である。
【図２】図２は、原稿載置面を拡大した図である。
【図３】図３は、原稿読み取り装置の制御システムを示した図である。
【図４】図４は、原稿載置面に形成されたガイドの一例を示した図である。
【図５】図５は、制御システムにおいて実行される処理フローの第１例を示した図である。
【図６】図６は、制御システムにおいて実行される処理フローの第２例を示した図である。
【図７】図７は、ガイドのバリエーションを示した第１の図である。
【図８】図８は、ガイドのバリエーションを示した第２の図である。
【図９】図９は、柱状部材を上または下に動かす移動機構の一例を示した図である。
【発明を実施するための形態】
【００１７】
以下、実施形態について説明する。以下に示す実施形態は、単なる例示であり、本開示の技術的範囲を以下の態様に限定するものではない。
【００１８】
図１は、原稿読み取り装置の外観を示した図である。原稿読み取り装置１は、図１に示
すように、原稿台２及び撮像ユニット３を備える。原稿台２は、直方体の外形を有しており、上面に読取対象の原稿が載置される原稿載置面４を形成する。撮像ユニット３は、原稿載置面４に対向する位置である原稿台２の上方に配置されており、原稿載置面４全体の画像を得ることができる。
【００１９】
原稿載置面４の横には、操作ボタン５が設けられている。また、撮像ユニット３は、原稿台２の端の部分に設けられた支柱６によって支持されている。そして、本実施形態の原稿読み取り装置１では、操作ボタン５が操作されると、撮像ユニット３による原稿の読み取りが開始される。
【００２０】
図２は、原稿載置面４を拡大した図である。原稿載置面４は、縦横に配列された多数の柱状部材７によって形成されている。柱状部材７は、図２に示されるように、上面が平らな円柱状の部材である。よって、各柱状部材７の上端の高さが揃っている場合、原稿載置面４は平面になる。
【００２１】
図３は、原稿読み取り装置１の制御システムを示した図である。原稿読み取り装置１には、ＣＰＵ（Central Processing Unit）やメモリ、入出力インターフェース等の電子部
品によって構成される制御システム８が備わっている。制御システム８は、メモリに展開されたコンピュータプログラムを実行することにより、図３に示すような画像処理部９、ガイド形成処理部１０を実現する。
【００２２】
画像処理部９は、主に撮像ユニット３の制御を司る機能部であり、例えば、撮像ユニット３に内蔵されている撮像素子によって得られた画像データを所定のファイル形式へ変換したり、撮像ユニット３の光学ユニットの焦点を調整したりする。
【００２３】
ガイド形成処理部１０は、主に原稿載置面４を形成する各柱状部材７の高さを調整し、原稿の位置を案内するガイドを原稿載置面４に形成する処理を司る。すなわち、ガイド形成処理部１０は、原稿読み取り装置１で読み取る原稿の形状に合うように、各柱状部材７を上または下に動かして原稿載置面４にガイドを形成する。
【００２４】
図４は、原稿載置面４に形成されたガイドの一例を示した図である。ガイド形成処理部１０は、原稿読み取り装置１で読み取る原稿１２の形状に合った窪みが形成されるように、各柱状部材７を動かす移動機構（本願でいう「移動手段」の一例である）を動作させ、原稿１２を載置すべき位置を示すガイド１１を原稿載置面４に形成する。原稿載置面４にガイド１１が形成されると、原稿読み取り装置１のユーザは、原稿１２を置くべき位置を容易に把握できる。また、原稿１２をガイド１１にセットすれば、原稿１２が撮像ユニット３の画像の中で傾いてしまうこともない。
【００２５】
図５は、制御システム８において実行される処理フローの第１例を示した図である。ガイド形成処理部１０は、原稿読み取り装置１で読み取る原稿の種類の入力を受け付ける（Ｓ１０１）。ガイド形成処理部１０は、原稿読み取り装置１で読み取る原稿の種類の入力を、原稿読み取り装置１と接続されている各種処理装置からの通知、或いは、操作ボタン５における選択操作によって受け付ける。例えば、原稿読み取り装置１と接続されている処理装置が銀行の窓口における事務処理を担う場合、原稿読み取り装置１は、当該処理装置において窓口担当者が選択した銀行の取引種別に用いる帳票の情報を得る。
【００２６】
ガイド形成処理部１０は、ステップＳ１０１で原稿の種類の入力を受け付けると、次に、原稿の形状に関するデータを参照する（Ｓ１０２）。ガイド形成処理部１０が参照する当該データは、原稿読み取り装置１で読み取る原稿の外縁部分の形状を２次元の座標系で表わしたデータである。当該データは、例えば、原稿読み取り装置１内の記憶装置に格納
されていてもよいし、或いは、原稿読み取り装置１と接続される各種処理装置の記憶装置に格納されていてもよい。
【００２７】
ガイド形成処理部１０は、ステップＳ１０２で原稿の形状に関するデータを参照した後、参照したデータに基づいて各柱状部材７を動かし、原稿載置面４にガイド１１を形成する（Ｓ１０３）。すなわち、ガイド形成処理部１０は、ステップＳ１０２で参照したデータを基に、原稿載置面４に載置される原稿を外縁部分で取り囲むガイド１１が形成されるように、各柱状部材７の高さを調整する。各柱状部材７が動いて原稿載置面４にガイド１１が形成されると、原稿読み取り装置１のユーザは、読み取りに適した状態で原稿１２を容易に載置可能である。また、原稿１２の種類に応じた形状のガイド１１が形成されるので、様々な種類の原稿１２を取り扱う場合に、ユーザは、迷いなく原稿１２の載置位置を把握することができる。
【００２８】
なお、原稿読み取り装置１は、撮像ユニット３を原稿台２の上方に配置したいわゆるスタンドスキャナタイプではなく、例えば、棒状の光学読取装置を原稿台２の上側で原稿載置面４と平行に走行させるものであってもよい。
【００２９】
また、本願で開示する「原稿読み取り装置」は、撮像ユニット３を備えたものに限定されるものではない。原稿読み取り装置１は、例えば、撮像ユニットが省略されており、原稿読み取り装置１とは別体の撮像ユニットに原稿を読み取らせるものであってもよい。但し、原稿台２は原稿の位置を案内するガイドを形成するものなので、原稿読み取り装置１が別体の撮像ユニットに原稿を読み取らせる装置の場合、当該別体の撮像ユニットは原稿台２に対して所定の位置関係で配置される必要がある。
【００３０】
また、上記実施形態では、柱状部材７として円柱状の部材が例示されているが、本願でいう「柱状部材」は、円柱状の部材に限定されるものではない。柱状部材７は、円柱状の部材に代えて、例えば、三角や四角といった多角形の断面形状を有する角柱状の部材であってもよいし、或いは、楕円やその他の断面形状を有する非角柱の部材であってもよい。
【００３１】
また、上記第１例の処理フローでは、原稿読み取り装置１で読み取る原稿の種類の入力が、原稿読み取り装置１と接続されている各種処理装置からの通知、或いは、操作ボタン５における選択操作によって行われていたが、原稿読み取り装置１で読み取る原稿の種類は、以下のように判定してもよい。
【００３２】
図６は、制御システム８において実行される処理フローの第２例を示した図である。ガイド形成処理部１０は、操作ボタン５において、原稿の種類の判定開始操作が行われたか否かの判定を行う（Ｓ１０１−Ａ）。ガイド形成処理部１０は、例えば、操作ボタン５として用意されている幾つかのボタンのうち、原稿の種類の判定開始操作に係るボタンが押されると、次のステップＳ１０１−Ｂを実行する。
【００３３】
ガイド形成処理部１０は、原稿の種類の判定開始操作が行われたことを検知すると、画像処理部９に原稿載置面４の画像を取得させる（Ｓ１０１−Ｂ）。画像処理部９は、ガイド形成処理部１０からの要求を受けて撮像ユニット３を作動させ、原稿載置面４の画像を取得する。画像処理部９は、取得した原稿載置面４の画像データをガイド形成処理部１０へ提供する。
【００３４】
ガイド形成処理部１０は、画像処理部９から提供された画像データを基に、原稿載置面４に載置されている原稿の種類を判定する（Ｓ１０１−Ｃ）。ガイド形成処理部１０は、原稿の種類を、例えば、原稿に印刷されているコードに基づいて判定してもよいし、原稿に印刷されている文字や枠線の位置、色、形状等の印刷内容、取引の種別に基づいて判定
してもよい。ガイド形成処理部１０は、原稿の種類を原稿に印刷されているコードに基づいて判定する場合、例えば、コードと原稿の種類との対応関係を規定したデータベースの情報に基づいて原稿の種類を判定することができる。また、ガイド形成処理部１０は、原稿に印刷されている文字や枠線の位置、色、形状等の印刷内容に基づいて判定する場合、例えば、原稿の印刷内容を原稿の種類毎に規定したデータベースの情報に基づいて原稿の種類を判定することができる。これらのデータベースは、原稿読み取り装置１内の記憶装置に格納されていてもよいし、或いは原稿読み取り装置１に繋がる各種処理装置の記憶装置に格納されていてもよい。
【００３５】
ガイド形成処理部１０は、原稿載置面４に載置されている原稿の種類を判定した後、上記第１例の処理フローと同様、原稿の形状に関するデータを参照し（Ｓ１０２）、参照したデータに基づいて各柱状部材７を動かしてガイド１１を形成する（Ｓ１０３）。これにより、原稿読み取り装置１のユーザは、原稿１２の置くべき位置を容易に把握できるようになる。
【００３６】
図７は、ガイド１１のバリエーションを示した第１の図である。上記実施形態では、例えば、図４に示されるように、原稿載置面４が原稿１２の形に合わせて窪む凹状のガイド１１が形成されていた。しかし、ガイド１１は、このような形態に限定されるものではない。ガイド形成処理部１０は、例えば、原稿１２の形に合う枠状のガイド１１Ａ１を形成してもよいし（図７（Ａ）を参照）、原稿１２の４辺のうち隣り合う２辺を取り囲むＬ字状のガイド１１Ｂ１を形成してもよいし（図７（Ｂ）を参照）、原稿１２の対角を囲む小さなＬ字状のガイド１１Ｃ１を形成してもよいし（図７（Ｃ）を参照）、原稿１２の各辺の位置を規定するだけの４つの柱状の突起からなるガイド１１Ｄ１を形成してもよいし（図７（Ｄ）を参照）、原稿１２の３辺の位置を規定するだけの３つの突起からなるガイド１１Ｅ１を形成してもよいし（図７（Ｅ）を参照）、１つの柱状部材７からなる突起と複数の柱状部材７からなる突起とを併用したガイド１１Ｆ１を形成してもよい（図７（Ｆ）を参照）。
【００３７】
図８は、ガイド１１のバリエーションを示した第２の図である。上記実施形態では、例えば、図４に示されるように、原稿１２が傾斜の無い平坦な面に載っていた。しかし、ガイド１１は、傾斜の無い平坦な面を形成するものに限定されるものではない。ガイド形成処理部１０は、例えば、原稿１２の形に合う枠状のガイドであり、枠内を手前側に傾斜させたガイド１１Ａ２を形成してもよいし（図８（Ａ）を参照）、原稿１２の形に合う窪みであり且つ底面を手前に傾斜させたガイド１１Ｂ２を形成してもよいし（図８（Ｂ）を参照）、原稿１２の１辺に沿う壁状の突起と、当該突起へ向かって傾斜する面をなすガイド１１Ｃ２を形成してもよいし（図８（Ｃ）を参照）、原稿１２の１辺沿いの２箇所で突出する柱状の突起と、当該突起へ向かって傾斜する面をなすガイド１１Ｄ２を形成してもよい（図８（Ｄ）を参照）。
【００３８】
ところで、上記実施形態の原稿読み取り装置１では、縦横に配列された多数の柱状部材７が原稿載置面４を形成していた。しかし、本願で開示する原稿読み取り装置は、縦横に配列された多数の柱状部材で原稿載置面を形成するものに限定されない。上記実施形態の原稿読み取り装置１は、例えば、図７（Ｄ）に示したガイド１１Ｄ１や、図７（Ｅ）に示したガイド１１Ｅ１のように、柱状の突起を幾つかの箇所に形成しただけのガイドで原稿１２の位置を案内する場合、平面の適当な箇所に上記柱状部材７を点在させた平らな板材で原稿載置面を形成したものであってもよい。
【００３９】
図９は、柱状部材７を上または下に動かす移動機構の一例を示した図である。柱状部材７は、例えば、電磁力を利用した移動機構１３を使って柱状部材７を上または下に動かすことができる。すなわち、移動機構１３は、２つの電極１４，１４間が通電されると励磁
する電磁石１５を下部に有し、柱状部材７の下端に設けられている磁石１６を電磁石１５の電磁力で動かす。電磁石１５は、２つの電極１４，１４間が通電されて励磁すると、電磁石１５と磁石１６が互いに同じ磁極で向き合うように通電される。電磁石１５と磁石１６が互いに同じ磁極で向き合えば、電磁石１５の電磁力に磁石１６が反発し、柱状部材７が上方向へ動く。このような移動機構１３が各柱状部材７に設けられていれば、ガイド形成処理部１０は、各移動機構１３の通電状態を電気的に制御するだけで各柱状部材７を上または下に動かすことができる。
【００４０】
なお、柱状部材７は、上記の移動機構１３以外の様々な移動機構を適用してもよい。柱状部材７を動かす移動機構は、例えば、電磁力の他にバネの反発力を利用したものであってもよいし、モータを利用したものであってもよいし、空気圧あるいは油圧を利用したものであってもよい。
【００４１】
ところで、上記実施形態の原稿読み取り装置１は、以下のように改変することもできる。すなわち、上記実施形態の原稿読み取り装置１は、例えば、原稿台２の内部の空気を排気する電動ファン（本願でいう「通気手段」の一例である）を原稿台２の筐体の側面等に設けておき、縦横に配列された各柱状部材７の隙間を通じて原稿載置面４から原稿台２の筐体内へ空気が流入するものであってもよい。縦横に配列された各柱状部材７の隙間を通じて原稿載置面４から原稿台２の筐体内へ空気が流入していれば、原稿１２が原稿載置面４に吸着される。原稿１２が原稿載置面４に吸着されると、原稿１２がユーザの意図しない位置へ移動する可能性を低減できる。
【００４２】
なお、原稿台２の内部の空気を排気する電動ファンは、原稿読み取り装置１の電源がオンの間は常時作動していてもよいし、原稿１２の読取操作が行われている間のみ作動していてもよい。また、当該電動ファンは、画像処理部９による原稿１２の画像の取得が完了すると逆転し、原稿載置面４から空気を噴出させてもよい。原稿１２の画像の取得が完了した後に原稿載置面４から空気が噴出すれば、原稿１２が原稿載置面４の上で浮き上がるので、ユーザが原稿１２を容易に取り除くことができる。電動ファンの停止や逆転は、画像処理部９における画像の取得が完了したことを検知して自動的に行われてもよいし、原稿１２の画像を基に当該原稿１２に書かれた文字の認識が完了したことを検知して自動的に行われてもよいし、或いは、ユーザの手動操作に従ってもよい。なお、原稿１２は、原稿載置面４からの空気の噴出のみならず、例えば、原稿１２がある部分の柱状部材７の高さを周囲の柱状部材７と異なる高さにすることで、容易に取り除くことも可能である。例えば、原稿１２がある部分の柱状部材７の高さが周囲の柱状部材７よりも高ければ、ユーザは原稿１２の縁を掴みやすいため、原稿１２を容易に掴んで原稿載置面４から取り除くことができる。
【００４３】
また、上記実施形態の原稿読み取り装置１は、各柱状部材７を筒状の部材で形成して各柱状部材７に通気経路を設け、当該通気経路を通じて原稿載置面４から原稿台２の筐体内へ流入する空気で原稿１２を原稿載置面４に吸着させてもよい。原稿１２が原稿載置面４に吸着されると、原稿１２がユーザの意図しない位置へ移動する可能性を低減できる。なお、各柱状部材７の通気経路は、例えば、電磁弁等によって開閉可能な空気孔を有するものであってもよい。
【００４４】
ところで、各柱状部材７に通気経路が形成されている場合、原稿１２が覆いかぶさった部分にある柱状部材７の通気経路では、空気の流入が原稿１２によって遮断される。そこで、各柱状部材７に通気経路が形成されている場合、原稿読み取り装置１は、例えば、各柱状部材７の通気経路の圧力または流量を基に、原稿１２の載置状態を把握することができる。各柱状部材７の通気経路の圧力や流量は、各柱状部材７の内部に形成された通気経路の内部にセンサ類を設けることにより計測可能である。原稿１２の載置状態を把握可能
な場合、原稿読み取り装置１は、原稿１２が適切な位置に置かれていないと判定した場合に、原稿１２の位置の調整を促す機能を有するものであってもよい。
【００４５】
また、制御システム８は、各柱状部材７の通気経路の圧力や流量以外の情報を基に、原稿１２の載置状態を把握することもできる。制御システム８は、例えば、各柱状部材７の上端に配置される接触センサ、或いは、各柱状部材７の下側に配置される照度センサの情報を基に、原稿１２の載置状態を把握することも可能である。また、制御システム８は、撮像ユニット３によって得られる画像を基に、原稿１２の載置状態を把握することも可能である。
【００４６】
また、上記の原稿読み取り装置１は、柱状部材７によって形成されるガイド１１だけで原稿１２の位置を案内しているが、その他の手段を併用してもよい。上記の原稿読み取り装置１は、例えば、各柱状部材７の中あるいは下側に光源を各々有しており、原稿１２を載置すべき領域の縁に位置する柱状部材７の上端から光を出射させてもよいし、原稿１２を載置すべき領域全体に位置する柱状部材７の上端から光を出射させてもよい。原稿１２を載置すべき領域の縁、或いは、原稿１２を載置すべき領域全体が発光すれば、原稿読み取り装置１のユーザは、原稿１２を載置すべき位置を容易に把握することができる。
【符号の説明】
【００４７】
１・・原稿読み取り装置：２・・原稿台：３・・撮像ユニット：４・・原稿載置面：５・・操作ボタン：６・・支柱：７・・柱状部材：８・・制御システム：９・・画像処理部：１０・・ガイド形成処理部：１１，１１Ａ１，１１Ｂ１，１１Ｃ１，１１Ｄ１，１１Ｅ１，１１Ｆ１，１１Ａ２，１１Ｂ２，１１Ｃ２，１１Ｄ２・・ガイド：１２・・原稿：１３・・移動機構：１４・・電極：１５・・電磁石:１６・・磁石
【図１】
2017112482.tif 000003
【図２】
2017112482.tif 000004
【図３】
2017112482.tif 000005
【図４】
2017112482.tif 000006
【図５】
2017112482.tif 000007
【図６】
2017112482.tif 000008
【図７】
2017112482.tif 000009
【図８】
2017112482.tif 000010
【図９】
2017112482.tif 000011